(57)【要約】【課題】  可動式鳥類係留防止バリアにおいて、ハト等の鳥類が手摺りに留まるのを確実に防止でき、布団や毛布等を干すこともできること。【解決手段】  可動式鳥類係留防止バリア１は、手摺りＴ１の両端に固定されたブラケット２に支持部材上下機構５がねじ止めされており、支持部材上下機構５はアルミニウム板からなる支持部材６を略垂直方向にスライドさせる貫通孔５ｃを有し、任意の位置でグリップ５ａを締め付けて固定できる。支持部材６の上端近傍と下端近傍に穿設された貫通孔６ａ，６ｂにそれぞれスプリング７のフックを引掛け、反対側のフックには線材９の端を輪にして抜けないようにアルミニウムの圧着管８で強固に圧着したものを引掛ける。こうして張架された線材９が邪魔をして、鳥類は手摺り上面Ｔ２，Ｋ２に留まれない。グリップ５ａを緩めて支持部材６と線材９を下げれば、手摺りＴ１に布団や毛布等を干すこともできる。【選択図】        図１
2006055049.tif 000002
【特許請求の範囲】
【請求項１】
ベランダ・バルコニーの手摺り上面に鳥類が留まるのを防止するバリアであって、
前記手摺りの両端近傍に取付けられるブラケットと、
各ブラケットの前記手摺り外側に取付けられる支持部材上下機構と、
前記支持部材上下機構にセットされ、前記支持部材上下機構のグリップを締め付けることによって前記手摺り上面に対して任意の高さに固定される所定長さの支持部材と、
前記手摺り部分の両端近傍に取付けられた前記支持部材の上端近傍間または上端近傍間及び下端近傍間に前記支持部材のいずれか一方または両方に細い弾性部材を介して張架された強固な線材とを具備し、
前記ブラケット、前記支持部材上下機構、前記支持部材、前記弾性部材及び前記線材は全て耐候性を有し、
前記支持部材上下機構のグリップを緩めて前記１対の支持部材を下げることによって、前記１対の支持部材の上端及び前記線材を前記手摺り部分の上面より低い位置に移動させることができることを特徴とする可動式鳥類係留防止バリア。
【請求項２】
前記線材は黒色の耐候性材料で被覆されていることを特徴とする請求項１に記載の可動式鳥類係留防止バリア。
【請求項３】
前記ブラケットとしてはステンレス板材を用い、前記ブラケットを前記手摺りの両端近傍に取付ける部材としてもステンレス製のボルト・ナットを用い、
前記支持部材上下機構としては耐候性の部材からなるものを用い、
前記支持部材としてはアルミニウムまたはその合金からなる板材、角材、丸棒または丸パイプを用い、
前記弾性部材としては両端にフックの付いたステンレス製の細いコイルスプリングを用い、
前記線材としては黒色のナイロン樹脂で被覆したステンレス鋼線を用い
たことを特徴とする請求項１または請求項２に記載の可動式鳥類係留防止バリア。
【請求項４】
前記支持部材は中間で前記手摺り部分側に略直角に曲がる屈曲機構を有し、屈曲して前記手摺り上面と略平行になった前記支持部材のいずれか一方または両方に細い弾性部材を介して間隔をおいて張架された強固な２本の線材を具備することを特徴とする請求項１乃至請求項３のいずれか１つに記載の可動式鳥類係留防止バリア。
【発明の詳細な説明】
【技術分野】
【０００１】
本発明は、アパート・マンション・１戸建ての家屋・事務所等のベランダやバルコニー等の手摺りに、ハト等の鳥類が留まるのを防止して、糞害等の様々な問題を解決するための可動式鳥類係留防止バリアに関するものである。
【背景技術】
【０００２】
アパート・マンション・１戸建ての家屋・事務所等の建物のベランダ・バルコニー等の手摺りには、鳥類特にハトが留まる場合があり、糞で周辺や洗濯物等が汚れたりする問題が生ずる。そこで、ハトを始めとする鳥類が飛来して手摺りに留まるのを防ぐ必要がある。
【０００３】
従来の鳥類飛来防止バリアの例としては、特許文献１に記載の鳥類飛来防止枠がある。この鳥類飛来防止枠は、１対の長尺の取付部材を鳥類飛来を防止したい空間に必要な間隔を開けて設置し、これらの取付部材間に一定間隔をおいてスプリングを介して多数の線材を張架している。前記一定間隔を鳥類が歩行可能な場所では鳥類の体幅寸法より狭く、また鳥類が歩行困難な場所では飛行状態で侵入できなければ良いので両翼を拡げた体幅寸法より狭くすることによって、鳥類の侵入を防止できるとしている。
【特許文献１】特開平８−３０８４６１号公報
【発明の開示】
【発明が解決しようとする課題】
【０００４】
しかしながら、上記従来技術においては、上下または左右に１対の支持部材が設置されており、これらの支持部材に鳥類が留まることができることから、糞害の問題は解決されない。また、かかる固定式の鳥類飛来防止枠をベランダ・バルコニー等の手摺りと天井との空間に設置すると、手摺りに布団や毛布等を干すことができなくなり、鉢植えの植物等の小物を並べることもできず、見晴らしも悪く外部からの見栄えも損なわれて、ベランダ・バルコニーとしての本来の役割を果たさなくなるという問題点があった。
【０００５】
そこで、本発明は、ハト等の鳥類がベランダ等の手摺りに止まるのを確実に防止できるとともに、布団や毛布等を干すことができ、見晴らしも見栄えも良くできる可動式鳥類係留防止バリアを提供することを課題とするものである。
【課題を解決するための手段】
【０００６】
請求項１の発明にかかる可動式鳥類係留防止バリアは、ベランダ・バルコニーの手摺り上面に鳥類が留まるのを防止するバリアであって、前記手摺りの両端近傍に取付けられるブラケットと、各ブラケットの前記手摺り外側に取付けられる支持部材上下機構と、前記支持部材上下機構にセットされ、前記支持部材上下機構のグリップを締め付けることによって前記手摺り上面に対して任意の高さに固定される所定長さの支持部材と、前記手摺り部分の両端近傍に取付けられた前記支持部材の上端近傍間または上端近傍間及び下端近傍間に前記支持部材のいずれか一方または両方に細い弾性部材を介して張架された強固な線材とを具備し、前記ブラケット、前記支持部材上下機構、前記支持部材、前記弾性部材及び前記線材は全て耐候性を有し、前記支持部材上下機構のグリップを緩めて前記１対の支持部材を下げることによって、前記１対の支持部材の上端及び前記線材を前記手摺り部分の上面より低い位置に移動させることができるものである。
【０００７】
このように、本発明の可動式鳥類係留防止バリアは、手摺りの両端近傍の外側に上下スライド可能に取付けられた支持部材を手摺りの上面から適切な高さ（例えばハト（ドバト）の場合には約１０ｃｍ）だけ突出させ、グリップを締め付けることによって固定して、支持部材の一方または両方に鳥類が留まれない細い弾性部材（コイルスプリング、強力なゴム等）を取付けて引張り強度の大きい線材を両支持部材間に（弾性部材を介して）張架したものである。これによって、飛来した鳥類はこの張架された線材が邪魔になって手摺りの上面に留まることができず、糞害等の問題を解決することができる。
【０００８】
また、上記特許文献１に記載の発明と異なり、ベランダ等の開口部を全て線材で塞ぐものではなく、１本の線材が手摺りに沿って張架されるだけなので、見晴らしも良く、見栄えも損なわない。さらに、構成部品が全て耐候性を有しているので、雨に濡れても太陽光に曝されても劣化することがなく、長期間に亘って使用することができる。
【０００９】
また、手摺りに布団・毛布等を干したいときは、一方の支持部材のグリップを緩めて弾性部材の弾性力を利用して支持部材を数ｃｍ下げ、またグリップを締めてしっかり固定してから、他方の支持部材のグリップを緩めて他方の支持部材を一方の支持部材よりさらに数ｃｍ下げてまたグリップを締めてしっかり固定する。これを数回繰り返すことによって、１対の支持部材及びその間に張架された線材を手摺りの上面よりも数ｃｍ下に下げることができる。これによって、線材が邪魔にならずに手摺りに布団・毛布等を干すことができる。
【００１０】
さらに、幅の広いコンクリートの手摺りの上に低い鉄製の手摺りが設けられている場合等では、鉄製の手摺りの上面だけでなく、その下のコンクリートの手摺りの余ったスペースに鳥類が留まる可能性もある。そこで、このような場合には、１対の支持部材の上端近傍だけでなく、下端近傍にも同じように線材を張架して鳥類が留まるのを防ぐ必要がある。このとき、下のコンクリートの手摺りの上面から線材までの高さが前記適切な高さになるように、支持部材の長さを調節しなければならない。
【００１１】
このようにして、ハト等の鳥類がベランダ等の手摺りに止まるのを確実に防止できるとともに、布団や毛布等を干すことができ、見晴らしも見栄えも良くできる可動式鳥類係留防止バリアとなる。
【００１２】
請求項２の発明にかかる可動式鳥類係留防止バリアは、請求項１の構成において、前記線材は黒色の耐候性材料で被覆されているものである。
【００１３】
可動式鳥類係留防止バリアは、屋外または屋内でも太陽光の当る場所に設置される場合が殆どである。したがって、太陽光に含まれる紫外線を晴れの日は毎日浴びることになるが、黒色は紫外線に強く殆ど影響を受けないので、耐候性材料例えば黒色の耐候性塗料を塗布被覆したり、黒色のナイロン等の耐候性樹脂で被覆することによって、長年紫外線を浴びてもひびが入ったり剥落したり変色したりすることがない。そして、耐候性材料で被覆することによって、風雨、高低温にも変化することなく設置時の滑らかな外観を長期間に亘って維持することができる。
【００１４】
また、黒色の線材は目立たないので、アパート・マンション等に設置しても景観を殆ど損なうことがない。さらに、ステンレス鋼等の金属製の線材については直接触れると小さなささくれ等があって指先等に怪我をする場合があるが、黒色の材料で被覆することによって怪我をする恐れもなくなる。
【００１５】
このようにして、線材の設置時の滑らかな外観を長期間に亘って維持することができ、景観を殆ど損なうこともなく、怪我をする恐れもない可動式鳥類係留防止バリアとなる。
【００１６】
請求項３の発明にかかる可動式鳥類係留防止バリアは、請求項１または請求項２の構成において、前記ブラケットとしてはステンレス板材を用い、前記ブラケットを前記手摺りの両端近傍に取付ける部材としてもステンレス製のボルト・ナットを用い、前記支持部材上下機構としては耐候性の部材からなるものを用い、前記支持部材としてはアルミニウムまたはその合金からなる板材、角材、丸棒または丸パイプを用い、前記弾性部材としては両端にフックの付いたステンレス製の細いコイルスプリングを用い、前記線材としては黒色のナイロン樹脂で被覆したステンレス鋼線を用いたものである。
【００１７】
このように、ブラケットとそれを取付けるボルト・ナットとして高強度のステンレス製のものを用いたことによって、強固に取付けることができ、一度取付けたら緩むこともない。また、支持部材上下機構として耐候性の部材を、支持部材としてアルミニウムまたはその合金からなる板材、角材、丸棒または丸パイプを用いたことによって、支持部材上下機構が錆びついたり締め付け力が弱くなったりせず、支持部材が軽くて強度があるために線材の張架力で撓んだり曲がったりすることがない。
【００１８】
さらに、弾性部材として両端にフックの付いたステンレス製の細いコイルスプリングを用いたことで、長期間に亘って安定した弾性力が得られ、細いので鳥類が留まることもできず、支持部材や線材とも結合し易く、丈夫で切れないステンレス鋼線を線材として黒色のナイロン樹脂で被覆したことによって半永久的に用いることができる線材となる。
【００１９】
このようにして、設置時の性能を長期間に亘って維持することができる可動式鳥類係留防止バリアとなる。
【００２０】
請求項４の発明にかかる可動式鳥類係留防止バリアは、請求項１乃至請求項３のいずれか１つの構成において、前記支持部材は中間で前記手摺り部分側に略直角に曲がる屈曲機構を有し、屈曲して前記手摺り上面と略平行になった前記支持部材のいずれか一方または両方に細い弾性部材を介して間隔をおいて張架された強固な２本の線材を具備するものである。
【００２１】
ベランダ・バルコニー等の手摺りがコンクリート製の幅が広いものであると、ハト等の鳥類は手摺りの外側上方に１本線材を張っただけでは、線材から離れた手摺り上面の内側よりに留まる可能性が皆無ではない。そこで、幅が広い手摺りの場合は、両端の支持部材を長めにして中間に屈曲機構を設けてほぼ直角に曲がるようにして、手摺り上面の上方に被さった両端の支持部材間に間隔をおいて２本の線材を張架すれば、手摺り上面の上方に張架された２本の線材によって、ハト等の鳥類がベランダ等の手摺り上面に止まるのを確実に防止できる。
【００２２】
そして、幅が広い手摺りに布団・毛布等を干したいときは、両端の支持部材の屈曲機構を真っ直ぐに伸ばして、支持部材上下機構のグリップを緩めたり締めたりする手順で両端の支持部材を下降させれば良い。但し、２本の線材を張架した場合には、下側の線材が支持部材上下機構に当接してそれ以上下降できなくなった時点で、上側の線材が手摺り上面より下に位置していなければならないことから、支持部材上下機構をずっと下に固定する必要がある。
【００２３】
このようにして、幅が広い手摺りの場合でもハト等の鳥類がベランダ等の手摺り上面に止まるのを確実に防止できる可動式鳥類係留防止バリアとなる。
【発明の効果】
【００２４】
以上説明したように、請求項１の発明にかかる可動式鳥類係留防止バリアは、ベランダ・バルコニーの手摺り上面に鳥類が留まるのを防止するバリアであって、前記手摺りの両端近傍に取付けられるブラケットと、各ブラケットの前記手摺り外側に取付けられる支持部材上下機構と、前記支持部材上下機構にセットされ、前記支持部材上下機構のグリップを締め付けることによって前記手摺り上面に対して任意の高さに固定される所定長さの支持部材と、前記手摺り部分の両端近傍に取付けられた前記支持部材の上端近傍間または上端近傍間及び下端近傍間に前記支持部材のいずれか一方または両方に弾性部材を介して張架された強固な線材とを具備し、前記ブラケット、前記支持部材上下機構、前記支持部材、前記弾性部材及び前記線材は全て耐候性を有し、前記支持部材上下機構のグリップを緩めて前記１対の支持部材を下げることによって、前記１対の支持部材の上端及び前記線材を前記手摺り部分の上面より低い位置に移動させることができるものである。
【００２５】
このように、本発明の可動式鳥類係留防止バリアは、手摺りの両端近傍の外側に上下スライド可能に取付けられた支持部材を手摺りの上面から適切な高さだけ突出させ、グリップを締め付けることによって固定して、支持部材の一方または両方に鳥類が留まれない細い弾性部材を取付けて引張り強度の大きい線材を両支持部材間に弾性部材を介して張架したものである。これによって、飛来した鳥類はこの張架された線材が邪魔になって手摺りの上面に留まることができず、糞害等の問題を解決することができる。
【００２６】
また、１本の線材が手摺りに沿って張架されるだけなので、見晴らしも良く、見栄えも損なわない。さらに、構成部品が全て耐候性を有しているので、雨に濡れても太陽光に曝されても劣化することがなく、長期間に亘って使用することができる。
【００２７】
また、手摺りに布団・毛布等を干したいときは、一方の支持部材のグリップを緩めて弾性部材の弾性を利用して支持部材を数ｃｍ下げ、またグリップを締めてしっかり固定してから、他方の支持部材のグリップを緩めて他方の支持部材を一方の支持部材よりさらに数ｃｍ下げてまたグリップを締めてしっかり固定する。これを数回繰り返すことによって、１対の支持部材及びその間に張架された線材を手摺りの上面よりも数ｃｍ下に下げることができる。これによって、線材が邪魔にならずに手摺りに布団・毛布等を干すことができる。
【００２８】
このようにして、ハト等の鳥類がベランダ等の手摺りに止まるのを確実に防止できるとともに、布団や毛布等を干すことができ、見晴らしも見栄えも良くできる可動式鳥類係留防止バリアとなる。
【００２９】
請求項２の発明にかかる可動式鳥類係留防止バリアは、請求項１の構成において、前記線材は黒色の耐候性材料で被覆されているものである。
【００３０】
可動式鳥類係留防止バリアは、太陽光に含まれる紫外線を晴れの日は毎日浴びることになるが、黒色は紫外線に強く殆ど影響を受けないので、耐候性材料例えば黒色の耐候性塗料を塗布被覆したり、黒色のナイロン等の耐候性樹脂で被覆することによって、長年紫外線を浴びてもひびが入ったり剥落したり変色したりすることがない。そして、耐候性材料で被覆することによって、風雨、高低温にも変化することなく設置時の滑らかな外観を長期間に亘って維持することができる。
【００３１】
また、黒色の線材は目立たないので、アパート・マンション等に設置しても景観を殆ど損なうことがない。さらに、ステンレス鋼等の金属製の線材については直接触れると小さなささくれ等があって指先等に怪我をする場合があるが、黒色の材料で被覆することによって怪我をする恐れもなくなる。
【００３２】
このようにして、線材の設置時の滑らかな外観を長期間に亘って維持することができ、景観を殆ど損なうこともなく、怪我をする恐れもない可動式鳥類係留防止バリアとなる。
【００３３】
請求項３の発明にかかる可動式鳥類係留防止バリアは、請求項１または請求項２の構成において、前記ブラケットとしてはステンレス板材を用い、前記ブラケットを前記手摺りの両端近傍に取付ける部材としてもステンレス製のボルト・ナットを用い、前記支持部材上下機構としては耐候性の部材からなるものを用い、前記支持部材としてはアルミニウムまたはその合金からなる板材、角材、丸棒または丸パイプを用い、前記弾性部材としては両端にフックの付いたステンレス製の細いコイルスプリングを用い、前記線材としては黒色のナイロン樹脂で被覆したステンレス鋼線を用いたものである。
【００３４】
このように、ブラケットとそれを取付けるボルト・ナットとして高強度のステンレス製のものを用いたことによって、強固に取付けることができ、一度取付けたら緩むこともない。また、支持部材上下機構として耐候性の部材を、支持部材としてアルミニウムまたはその合金からなる板材、角材、丸棒または丸パイプを用いたことによって、支持部材上下機構が錆びついたり締め付け力が弱くなったりせず、支持部材が軽くて強度があるために線材の張架力で撓んだり曲がったりすることがない。
【００３５】
さらに、弾性部材として両端にフックの付いたステンレス製の細いコイルスプリングを用いたことで、長期間に亘って安定した弾性力が得られ、支持部材や線材とも結合し易く、細いので鳥類が留まることもできず、丈夫で切れないステンレス鋼線を線材として黒色のナイロン樹脂で被覆したことによって半永久的に用いることができる線材となる。
【００３６】
このようにして、設置時の性能を長期間に亘って維持することができる可動式鳥類係留防止バリアとなる。
【００３７】
請求項４の発明にかかる可動式鳥類係留防止バリアは、請求項１乃至請求項３のいずれか１つの構成において、前記支持部材は中間で前記手摺り部分側に略直角に曲がる屈曲機構を有し、屈曲して前記手摺り上面と略平行になった前記支持部材のいずれか一方または両方に細い弾性部材を介して間隔をおいて張架された強固な２本の線材を具備するものである。
【００３８】
ベランダ・バルコニー等の手摺りがコンクリート製の幅が広いものであると、ハト等の鳥類は手摺りの外側上方に１本線材を張っただけでは、線材から離れた手摺り上面の内側よりに留まる可能性が皆無ではない。そこで、幅が広い手摺りの場合は、両端の支持部材を長めにして中間に屈曲機構を設けてほぼ直角に曲がるようにして、手摺り上面の上方に被さった両端の支持部材間に間隔をおいて２本の線材を張架すれば、手摺り上面の上方に張架された２本の線材によって、ハト等の鳥類がベランダ等の手摺り上面に止まるのを確実に防止できる。
【００３９】
そして、幅が広い手摺りに布団・毛布等を干したいときは、両端の支持部材の屈曲機構を真っ直ぐに伸ばして、支持部材上下機構のグリップを緩めたり締めたりする手順で両端の支持部材を下降させれば良い。
【００４０】
このようにして、幅が広い手摺りの場合でもハト等の鳥類がベランダ等の手摺り上面に止まるのを確実に防止できる可動式鳥類係留防止バリアとなる。
【発明を実施するための最良の形態】
【００４１】
以下、本発明の実施の形態について、図面を参照して説明する。
【００４２】
実施の形態１
まず、本発明の実施の形態１にかかる可動式鳥類係留防止バリアについて、図１及び図２を参照して説明する。図１（ａ）は本発明の実施の形態１にかかる可動式鳥類係留防止バリアの一端を外側から見たところを示す部分正面図、（ｂ）は可動式鳥類係留防止バリアが取付けられた上下の手摺りを示す縦断面図、（ｃ）はブラケット取付け部分を上の手摺りを外して見たところを示す平面図である。図２は本発明の実施の形態１にかかる可動式鳥類係留防止バリアの中間部分を省略した全体構造を上の手摺りを外して見たところを示す平面図である。
【００４３】
図１に示されるように、本実施の形態１の可動式鳥類係留防止バリア１は、アパート・マンション等のベランダ・バルコニー等に鳥類、特にハトが飛来して手摺りに留まるのを防ぐ目的で設置されたもので、本実施の形態１における手摺りは幅の広いコンクリートの手摺りＫ１の上に鉄製の低い手摺りＴ１が固定されたものである。したがって、鉄製の手摺りＴ１の上面Ｔ２だけでなく、コンクリートの手摺りＫ１の上面Ｋ２にも鳥類が留まるのを防止しなければならないので、支持部材６の上下両端近傍に線材９を１本ずつ張架する必要がある。
【００４４】
図１（ａ），（ｂ）に示されるように、支持部材６は支持部材上下機構５によって上下方向にスライド可能に略垂直に固定され、支持部材上下機構５はブラケット２によって鉄製の手摺りＴ１をコンクリート製の手摺りＫ１の上に立設する鉄製の角柱Ｔ３の外部側に取付けられている。図１（ｃ）に示されるように、ブラケット２は２枚のステンレス製のＬ字形の板からなり、この２枚のステンレス板２を重ねて角柱Ｔ３の上端に巻き付け、突出部をステンレス製のボルト３・ナット４で締め付けることによって、角柱Ｔ３の上端に固定されている。支持部材上下機構５は、このブラケット２の外部側の４箇所に設けられた雌ねじ孔に図示しない皿ねじで基板部５ｂをねじ止めすることによって取付けられている。
【００４５】
支持部材上下機構５は、支持部材６を略垂直方向にスライドさせる貫通孔５ｃを有しており、この中にアルミニウム板からなる支持部材６を貫通させて、任意の位置でグリップ５ａを締め付けることによって固定することができる。本実施の形態１においては、図１（ａ）に示されるように、支持部材６の上端が鉄製の手摺りＴ１の上面Ｔ２から約１０ｃｍ上に突出した位置でグリップ５ａを締め付けて固定する。
【００４６】
そして、支持部材６の上端近傍と下端近傍に穿設された貫通孔６ａ，６ｂにそれぞれ弾性部材としてのステンレス製の細いコイルスプリング（以下、単に「スプリング」ともいう。）７のフックを引掛け、反対側のフックには線材としての黒色のナイロン樹脂で被覆したステンレス鋼線（以下、単に「線材」ともいう。）９の端を輪にして抜けないようにアルミニウムの圧着管８で強固に圧着したものを引掛ける。
【００４７】
そして、図２に示されるように、線材９を手摺りＴ１に沿って伸ばして手摺りＴ１の反対側の端に立設された鉄製の角柱Ｔ３に、同様にしてブラケット２、支持部材上下機構５、支持部材６を取付けて、こちら側にはコイルスプリング７を介さずに、線材９の端を輪にして抜けないように圧着管８で強固に圧着したものにステンレス製のフック１０の一方を引掛け、フック１０のもう一方を支持部材６の上端近傍に穿設された貫通孔に引掛けることによって、線材９を手摺りＴ１の外側に上面Ｔ２の上方約１０ｃｍの高さに強固に張架する。
【００４８】
下側に取付けられた線材９についても同様にして、コンクリート製の手摺りＫ１の外側に上面Ｋ２の上方に強固に張架する。このように、本実施の形態１においては、線材９の一方の端のみを弾性部材としてのスプリング７を介して支持部材６に取付けたが、両端の支持部材６にスプリング７を介して線材９を張架しても良い。スプリング７は細いので、これに鳥類が留まることはできない。
【００４９】
これによって、飛来した鳥類は上に張架された線材９が邪魔になって鉄製の手摺りＴ１の上面Ｔ２に留まることができず、また下に張架された線材９が邪魔になってコンクリート製の手摺りＫ１の上面Ｋ２に留まることもできず、糞害等の問題を解決することができる。また、従来の鳥類飛来防止枠と異なり、手摺りＴ１の上方と下方に各１本の線材９が張架されるだけなので、ベランダ・バルコニー等からの見晴らしも良く、外部からの見栄えも損なわない。
【００５０】
また、ステンレス製のブラケット２，ボルト３，ナット４、耐候性の支持部材上下機構５、アルミニウム製の支持部材６、ステンレス製のコイルスプリング７、アルミニウム製の圧着管８、黒色のナイロン樹脂で被覆したステンレス鋼線９、ステンレス製のフック１０、と構成部品が全て耐候性を有しているので、雨に濡れても太陽光に曝されても劣化することがなく、半永久的に使用することができる。
【００５１】
さらに、手摺りＴ１に布団・毛布等を干したいときは、一方の支持部材６のグリップ５ａを緩めてスプリング７の弾性を利用して支持部材６を数ｃｍ下げ、またグリップ５ａを締めて再び上昇しないようにしっかり固定してから、反対側の支持部材６のグリップ５ａを緩めて反対側の支持部材６を一方の支持部材６よりさらに数ｃｍ下げてまたグリップ５ａを締めてしっかり固定する。これを数回繰り返すことによって、１対の支持部材６及びその間に張架された線材９を手摺りＴ１の上面Ｔ２よりも数ｃｍ下に下げることができる。これによって、線材９が邪魔にならずに手摺りＴ１に布団・毛布等を干すことができる。
【００５２】
このようにして、本実施の形態１の可動式鳥類係留防止バリア１は、ハト等の鳥類がベランダ等の手摺りに止まるのを確実に防止できるとともに、布団や毛布等を干すことができ、見晴らしも見栄えも良くでき、半永久的に使用することができる。
【００５３】
実施の形態２
次に、本発明の実施の形態２にかかる可動式鳥類係留防止バリアについて、図１を参考にしながら説明する。本実施の形態２の可動式鳥類係留防止バリアの構成は、実施の形態１の可動式鳥類係留防止バリア１と殆ど同じである。異なるのは、手摺りＴ１の両端に固定された支持部材上下機構５のグリップ５ａの代わりにラチェット機構が設けられている点である。即ち、支持部材６にラッチ（追い歯）を設け、支持部材上下機構５にラッチキーを設けて、支持部材６が上昇しかできない状態と、下降しかできない状態と、上昇も下降もできない状態とを切り替えられるようにしたものである。
【００５４】
これによって、線材９を張架するときには支持部材６が上昇しかできない状態にラッチキーを切り替えて、支持部材６の上端が手摺り上面Ｔ２から所定高さになるまで上昇させて、支持部材６が上昇も下降もできない状態にラッチキーを切り替えて、手摺りＴ１の両端の支持部材６間に線材９を張架する。一方、手摺りＴ１に布団・毛布等を干したいとき等は、両端の支持部材上下機構５のラッチキーを支持部材６が下降しかできない状態に切り替える。そして、スプリング７の弾性を利用して、一方の支持部材６を数ｃｍ下げ、次に他方の支持部材６を一方の支持部材６よりもさらに数ｃｍ下げ、これを数回繰り返すことによって、１対の支持部材６及びその間に張架された線材９を手摺りＴ１の上面Ｔ２よりも数ｃｍ下に下げることができる。
【００５５】
このように、本実施の形態２においては、支持部材上下機構５と支持部材６の間にラチェット機構が形成されているために、１対の支持部材６及びその間に張架された線材９を下げるときに一々グリップ５ａを締めたり緩めたりする必要がなく、一方の支持部材６を下げようとしているときにもう一方の支持部材６がまた上昇してしまうという事態を防ぐことができる。これによって、１対の支持部材６及びその間に張架された線材９を下げる操作がより容易になって、線材９が邪魔にならずに手摺りＴ１に布団・毛布等を干すことができる。
【００５６】
実施の形態３
次に、本発明の実施の形態３にかかる可動式鳥類係留防止バリアについて、図３を参照して説明する。図３（ａ）は本発明の実施の形態３にかかる可動式鳥類係留防止バリアの端部を外側から見て示す部分正面図、（ｂ）は可動式鳥類係留防止バリアのコンクリート手摺りへの取付け構造を示す断面図である。
【００５７】
図３（ｂ）に示されるように、本実施の形態３にかかる可動式鳥類係留防止バリア１１は、コンクリートの手摺りＣ１だけが設けられたベランダ・バルコニー等に適用されるものである。この可動式鳥類係留防止バリア１１は、幅の広いコンクリートの手摺りＣ１に対応した２枚のステンレス製の板材１２ａ，１２ｂを組み合わせたブラケット１２によって、手摺りＣ１に取付けられる。板材１２ａ，１２ｂにはそれぞれ長孔１２ｃ，１２ｄが穿設されており、これらの長孔１２ｃ，１２ｄを重ねてねじ１３ａを上から通し、ナット１３ｂを軽く螺合させておく。
【００５８】
そして、外部から内部に向かって傾斜している手摺り上面Ｃ２に対して、略水平にブラケット１２を手摺りＣ１に取付ける。即ち、長孔１２ｃ，１２ｄにおいてねじ１３ａ，ナット１３ｂで緩く結合された板材１２ａ，１２ｂの屈曲部分で手摺りＣ１を挟み込み、ねじ１３ａとナット１３ｂを強く締め付ける。さらに、板材１２ａ，１２ｂの屈曲部分にそれぞれ設けられた雌ねじ孔に、ねじ１４ａ，１４ｂを螺合させて先端を手摺りＣ１の側面に突っ張らせることによって、ブラケット１２がより強固に取付けられる。
【００５９】
次に、支持部材上下機構１５が、このブラケット１２の外部側の４箇所に設けられた雌ねじ孔に図示しない皿ねじで基板部１５ｂをねじ止めすることによって固定される。この支持部材上下機構１５は、支持部材１６を略垂直方向にスライドさせる貫通孔１５ｃを有しており、この中にアルミニウム板からなる支持部材１６を貫通させて、任意の位置でグリップ１５ａを締め付けることによって固定することができる。
【００６０】
そして、図３（ａ）に示されるように、支持部材１６の上端近傍に穿設された貫通孔１６ａに弾性部材としてのステンレス製のコイルスプリング１７のフックを引掛け、反対側のフックには線材としての黒色のナイロン樹脂で被覆したステンレス鋼線１９の端を輪にして抜けないようにアルミニウムの圧着管１８で強固に圧着したものを引掛ける。
【００６１】
また、手摺りＣ１の反対側の端にも、同様にしてブラケット１２、支持部材上下機構１５、支持部材１６が取り付けられており、線材１９の反対側の端も輪にして抜けないようにアルミニウムの圧着管１８で強固に圧着されており、この線材１９の輪にスプリング１７の一方のフックが引掛けられ、スプリング１７のもう一方のフックは支持部材１６の上端近傍に穿設された貫通孔１６ａに引掛けられている。
【００６２】
このようにして、コンクリートの手摺りＣ１の外側に手摺り上面Ｃ２から所定の高さに線材１９が張架されているため、飛来した鳥類は上に張架された線材１９が邪魔になってコンクリート製の手摺りＣ１の上面Ｃ２に留まることができないので、糞害等の問題を解決することができる。また、従来の鳥類飛来防止枠と異なり、手摺りＣ１の上方に１本の線材１９が張架されるだけなので、ベランダ・バルコニー等からの見晴らしも良く、外部からの見栄えも損なわない。
【００６３】
また、ステンレス製のブラケット１２，ねじ１３ａ，ナット１３ｂ、耐候性の支持部材上下機構１５、アルミニウム製の支持部材１６、ステンレス製のコイルスプリング１７、アルミニウム製の圧着管１８、黒色のナイロン樹脂で被覆したステンレス鋼線１９、と構成部品が全て耐候性を有しているので、雨に濡れても太陽光に曝されても劣化することがなく、半永久的に使用することができる。
【００６４】
さらに、手摺りＣ１に布団・毛布等を干したいときは、一方の支持部材１６のグリップ１５ａを緩めてスプリング１７の弾性を利用して支持部材１６を数ｃｍ下げ、またグリップ１５ａを締めて再び上昇しないようにしっかり固定してから、反対側の支持部材１６のグリップ１５ａを緩めて反対側の支持部材１６を一方の支持部材１６よりさらに数ｃｍ下げてまたグリップ１５ａを締めてしっかり固定する。これを数回繰り返すことによって、１対の支持部材１６及びその間に張架された線材１９を手摺りＣ１の上面Ｃ２よりも数ｃｍ下に下げることができる。これによって、線材１９が邪魔にならずに手摺りＣ１に布団・毛布等を干すことができる。
【００６５】
なお、本実施の形態３においても、実施の形態２と同様に、グリップ１５ａで支持部材１６を締めて止める代わりに、支持部材上下機構１５と支持部材１６の間にラチェット機構を設けても良い。
【００６６】
このようにして、本実施の形態３の可動式鳥類係留防止バリア１１は、ハト等の鳥類がベランダ等の手摺り上面Ｃ２に止まるのを確実に防止できるとともに、布団や毛布等を干すことができ、見晴らしも見栄えも良くでき、半永久的に使用することができる。
【００６７】
なお、本実施の形態３におけるコンクリートの手摺りＣ１のように幅が広いと、ハト等の鳥類は線材１９から離れた手摺り上面Ｃ２の内側よりに留まる可能性が皆無ではない。そこで、幅が広い手摺りの場合は、両端の支持部材１６を長めにして中間にヒンジを設けてブラケット１２と略平行になるまでほぼ直角に曲がるようにして、手摺り上面Ｃ２の上方に被さった両端の支持部材１６間に間隔をおいて２本の線材１９を張架すれば、手摺り上面Ｃ２の上方に張架された２本の線材１９によって、ハト等の鳥類がベランダ等の手摺り上面Ｃ２に止まるのを確実に防止することができる。
【００６８】
そして、手摺りＣ１に布団・毛布等を干したいときは、両端の支持部材１６を真っ直ぐに伸ばして、支持部材上下機構１５のグリップ１５ａを緩めたり締めたりする前述の手順で両端の支持部材１６を下降させれば良い。但し、２本の線材１９を張架した場合には、下側の線材１９が支持部材上下機構１５に当接してそれ以上下降できなくなった時点で、上側の線材１９が手摺り上面Ｃ２より下に位置していなければならないことから、支持部材上下機構１５を図３よりずっと下に固定する必要がある。
【００６９】
上記各実施の形態においては、支持部材６，１６としてアルミニウムの板材を用いているが、アルミニウムまたはその合金の角材・丸棒・丸パイプを用いても良い。
【００７０】
また、上記各実施の形態においては、線材９，１９として黒色のナイロン樹脂で被覆したステンレス鋼線を用いているが、黒色のナイロン樹脂の被覆は本発明に必須のものでなく、またステンレス鋼線以外の引張り力に強い金属線に黒色のナイロン樹脂または他の耐候性のある材料を被覆したものでも良い。これによって、中の金属線が錆びるものであっても耐候性のある材料で被覆されているので、錆びることはない。
【００７１】
可動式鳥類係留防止バリアのその他の部分の構成、形状、数量、材質、大きさ、線材張架高さ、接続関係等についても、上記各実施の形態に限定されるものではない。
【図面の簡単な説明】
【００７２】
【図１】図１（ａ）は本発明の実施の形態１にかかる可動式鳥類係留防止バリアの一端を外側から見たところを示す部分正面図、（ｂ）は可動式鳥類係留防止バリアが取付けられた上下の手摺りを示す縦断面図、（ｃ）はブラケット取付け部分を上の手摺りを外して見たところを示す平面図である。
【図２】図２は本発明の実施の形態１にかかる可動式鳥類係留防止バリアの中間部分を省略した全体構造を上の手摺りを外して見たところを示す平面図である。
【図３】図３（ａ）は本発明の実施の形態３にかかる可動式鳥類係留防止バリアの端部を外側から見て示す部分正面図、（ｂ）は可動式鳥類係留防止バリアのコンクリート手摺りへの取付け構造を示す断面図である。
【符号の説明】
【００７３】
１，１１  可動式鳥類係留防止バリア
２，１２  ブラケット
５，１５  支持部材上下機構
６，１６  支持部材
７，１７  弾性部材
９，１９  線材
Ｃ１，Ｋ１，Ｔ１  手摺り
Ｃ２，Ｋ２，Ｔ２  手摺り上面
【図１】
2006055049.tif 000003
【図２】
2006055049.tif 000004
【図３】
2006055049.tif 000005